(57)【要約】【課題】縦置き型の機器と横置き型の機器を同時に収容することができ、しかも縦置き型の機器のアンテナ特性の劣化を防ぐことができる収容ラックを提供すること。【解決手段】機器を収容するための機器の収容ラック１０は、横置き型の機器２１，２３を横置き状態で収容して保持する第１収容空間６１を有する第１収容部４１と、縦置き型の機器２５を縦置き状態で収容して保持する第２収容空間６４を有する第２収容部４２とを備える。【選択図】　　　　図２
2004119685.tif 000002
【特許請求の範囲】
【請求項１】
機器を収容するための機器の収容ラックにおいて、
横置き型の前記機器を横置き状態で収容して保持する第１収容空間を有する第１収容部と、
縦置き型の前記機器を縦置き状態で収容して保持する第２収容空間を有する第２収容部と、を備えることを特徴とする機器の収容ラック。
【請求項２】
前記第２収容部は、前記縦置き型の前記機器を支える支持板を有し、前記第２収容部内において前記第２収容部の高さ方向について前記支持板の位置変更可能にする位置変更部を有する請求項１に記載の機器の収容ラック。
【請求項３】
前記第１収容部は、複数の前記横置き型の前記機器を別々に横置き状態で支持する支持板を有する請求項２に記載の機器の収容ラック。
【請求項４】
前記第１収容部は、複数の前記横置き型の前記機器を直接重ねて横置き状態で支持する支持板を有する請求項２に記載の機器の収容ラック。
【請求項５】
前記第２収容部は、前記第１収容部の後側に位置されている請求項１に記載の機器の収容ラック。
【請求項６】
前記第２収容部は、前記第１収容部の横側に位置されている請求項１に記載の機器の収容ラック。
【請求項７】
前記横置き型の前記機器と前記縦置き型の前記機器を隔てる隔壁を有し、前記隔壁は、前記横置き型の前記機器と前記縦置き型の前記機器を電気的に接続する配線を通過させるための配線通過孔を有する請求項１に記載の機器の収容ラック。
【発明の詳細な説明】
【０００１】
【発明の属する技術分野】
本発明は、電子機器のような各種の機器を収容するための機器の収容ラックに関するものである。
【０００２】
【従来の技術】
電子機器のような機器を収容する収容ラックは、いわゆるチューナーやアンプあるいはカセットデッキ等の横置き型の複数の機器を重ねるようにして収容している（例えば、特許文献１参照。）。
【０００３】
【特許文献１】
実開平５−７２１８８号公報（第１頁乃至第２頁、図１）
【０００４】
【発明が解決しようとする課題】
この従来の収容ラックは、横置き型の機器を複数収容できるだけである。
ところが、例えばアンテナ内蔵の縦置き型のワイヤレス機器を、例えば上述したような横置き型の機器と一緒に一つの収容ラックに入れようとすることは、従来の収容ラックではできないという問題がある。
仮に、縦置き型の機器を横置き型の機器と一緒に収容ラックに入れようとする場合には、縦置き型の機器の前方に横置き型の機器が位置するようになってしまう。この理由としては、横置き型の機器の操作面が横置き型の機器の前側の端面に位置しているからである。
そして、アンテナ内蔵の縦置き型の機器が横置き型の機器の後側に位置してしかも横置き型の機器の金属製の収容ラックに収容されてしまうと、金属製の収容ラックの存在により縦置き型の機器のアンテナ特性が劣化してしまうという不都合もある。
縦置き型の機器にアンテナを内蔵せずに縦置き型の機器に対して外付けにすることにより、アンテナ特性の劣化を避けることもできるが、コストが高くなってしまうことと、アンテナ接続線が縦置き型の機器からアンテナまで伸びるために、外観上一体感のないものになってしまう。
このような理由から、縦置き型の機器と横置き型の機器を同時に収容できる収容ラックの出現が望まれており、しかもアンテナ特性の劣化を防ぐことが要求されている。
【０００５】
そこで本発明は上記課題を解消し、縦置き型の機器と横置き型の機器を同時に収容することができ、しかも縦置き型の機器のアンテナ特性の劣化を防ぐことができる収容ラックを提供することを目的としている。
【０００６】
【課題を解決するための手段】
請求項１の発明は、機器を収容するための機器の収容ラックにおいて、横置き型の前記機器を横置き状態で収容して保持する第１収容空間を有する第１収容部と、縦置き型の前記機器を縦置き状態で収容して保持する第２収容空間を有する第２収容部と、を備えることを特徴とする機器の収容ラックである。
【０００７】
請求項１では、収容ラックの第１収容部は、横置き型の機器を横置き状態で収容して保持する第１収容空間を有している。収容ラックの第２収容部は、縦置き型の機器を縦置き状態で収容して保持する第２収容空間を有している。
これにより、収容ラックは、第１収容部の第１収容空間を用いて、横置き型の機器を横置き状態で収容して保持することができるとともに、収容ラックの第２収容部の第２収容空間を用いて、縦置き型の機器を縦置き状態で収容して保持することができる。
【０００８】
請求項２の発明は、請求項１に記載の機器の収容ラックにおいて、前記第２収容部は、前記縦置き型の前記機器を支える支持板を有し、前記第２収容部内において前記第２収容部の高さ方向について前記支持板の位置変更可能にする位置変更部を有する。
【０００９】
第２収容部は、縦置き型の機器を支える支持板を有している。この支持板は、第２収容部内において、第２収容部の高さ方向について位置変更部を用いて位置を変更可能である。
これによって、縦置き型の機器は、必要に応じて第２収容部の高さ方向に関して高さ方向の位置を変更することができる。
【００１０】
請求項３の発明は、請求項２に記載の機器の収容ラックにおいて、前記第１収容部は、複数の前記横置き型の前記機器を別々に横置き状態で支持する支持板を有する。
【００１１】
請求項３では、第１収容部は支持板を有しており、この支持板は複数の横置き型の機器を別々に横置き状態で支持するようになっている。
【００１２】
請求項４の発明は、請求項２に記載の機器の収容ラックにおいて、前記第１収容部は、複数の前記横置き型の前記機器を直接重ねて横置き状態で支持する支持板を有する。
【００１３】
請求項４では、第１収容部は支持板を有しており、この支持板は複数の横置き型の機器を直接重ねて横置き状態で支持するようになっている。
【００１４】
請求項５の発明は、請求項１に記載の機器の収容ラックにおいて、前記第２収容部は、前記第１収容部の後側に位置されている請求項１に記載の機器の収容ラック。
【００１５】
請求項６の発明は、請求項１に記載の機器の収容ラックにおいて、前記第２収容部は、前記第１収容部の横側に位置されている。
【００１６】
請求項７の発明は、請求項１に記載の機器の収容ラックにおいて、前記横置き型の前記機器と前記縦置き型の前記機器を隔てる隔壁を有し、前記隔壁は、前記横置き型の前記機器と前記縦置き型の前記機器を電気的に接続する配線を通過させるための配線通過孔を有する。
【００１７】
請求項７では、機器の収容ラックは隔壁を有しており、この隔壁の配線通過孔は、横置き型の機器と縦置き型の機器を電気的に接続する配線を通過させるようになっている。これにより、横置き型の機器と縦置き型の機器を接続する配線は、機器の収容ラックの外部に露出せずに内部で接続することができ、美観上優れたものになる。
【００１８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
図１は、本発明の機器の収容ラックの好ましい実施の形態を含むシステムの一例を示す図である。
このシステムは、例えば画像を表示するためのシステムであり、機器の収容ラック１０は、このシステム内に配置されている。このシステムは、表示装置１２、モニター装置１４及びアンテナ１６を有している。表示装置１２は、例えばＰＤＰ（プラズマディスプレイパネル）であり、画像などの情報をカラー表示することができる例えば大型のディスプレイである。モニター装置１４は、表示装置１２に表示されている情報と同じ情報もしくは異なる情報を表示できる比較的小型である。このモニター装置１４は例えばユーザーが手で持って使用することができるディスプレイである。
【００２０】
図１の機器の収容ラック１０は、例えば二つの横置き型の機器２１，２３と縦置き型の機器２５を同時に収容している。縦置き型の機器２５は、ワイヤレス送信可能な機器である。したがって縦置き型の機器２５は、複数のアンテナ２７，２９を内蔵している。縦置き型の機器２５は、アンテナ１６からの信号をアンテナ２７，２９で受信するようになっている。そして縦置き型の機器２５は、アンテナ２７，２９を用いて表示装置１２やモニター装置１４に対して情報を表示するための信号Ｓ２，Ｓ３をそれぞれワイヤレス方式で供給するようになっている。
横置き型の機器２１，２３は、例えばデジタルビデオレコーダーやＤＶＤ（デジタル多用途ディスク）記録再生装置等であるが、特に限定されるものではない。
【００２１】
図２と図３は、図１の機器の収容ラック１０をより拡大して示している。
図２と図３に示す機器の収容ラック１０は、例えば立方体あるいは直方体のような収納ボックス型のラックであり、材質としてはプラスチック、木材あるいは木質材料あるいは金属により作ることができる。
機器の収容ラック１０は、本体３０とカバー３１を有している。本体３０は、上述したようにプラスチック、木材あるいは木質材料あるいは金属により作られている。
カバー３１は、前面側の開口部３３，３４を閉じるために開閉可能に取り付けられている。このカバー３１は、例えば透明のガラス板や透明のプラスチック板により作られている。
【００２２】
図３に示すように、機器の収容ラック１０の本体３０の底部には、例えば四つの支持脚３５が取り付けられている。図２に示すように、機器の収容ラック１０は第１収容部４１と第２収容部４２を有している。第１収容部４１は本体３０の前側に位置しており、第２収容部４２は第１収容部４１の後側に位置している。第１収容部４１は、支持板５１，５２を有している。この支持板５１，５２とその上の天板５３は、側板５４，５５とによりボックス型の本体３０を構成している。
天板５３と支持板５１，５２及び側板５４，５５は、第１収容部４１の二つの第１収容空間６１，６１を形成している。この第１収容空間６１，６１は、横置き型の機器２１，２３をそれぞれ収容する空間である。つまり横置き型の機器２１は、支持板５１の上に載せるようにして横置き状態で上側の第１収容空間６１に収容されるとともに、もう一つの横置き型の機器２３は、支持板５２の上に横置き状態で下側の第１収容空間６１に収容されるようになっている。
図２では二つの横置き型の機器２１，２３と一つの縦置き型の機器２５が収容される前の状態を示しており、図３ではそれぞれの横置き型の機器２１，２３及び縦置き型の機器２５が、機器の収容ラック１０内に収容された状態を示している。
【００２３】
図４と図５に示すように、本体３０の後側には、上述したように第２収容部４２が設けられている。この第２収容部４２は、側板５４，５５のそれぞれの後側部分５４Ａ，５５Ａと、支持板５２の後側部分５２Ａにより形成された凹部分である。
この第２収容部４２は、上述した後側部分５４Ａ，５５Ａ，５２Ａ及び隔壁６０により形成された第２収容空間６４を有している。第２収容空間６４は、図５に示すように縦置き型の機器２５を十分に収容できる大きさの空間を有している。
【００２４】
第２収容空間６４の中には、一つの支持板７０が着脱自在に配置されるようになっている。この支持板７０は、縦置き型の機器２５の底部を支えて保持するものである。支持板７０は、図５に示すように第２収容空間６４の高さ方向Ｚに関してポジションＰ１、ポジションＰ２及びポジションＰ３の三段階で高さ調整が可能になっている。
この支持板７０は、図６と図７に示すように、ポジションＰ１乃至ポジションＰ３の位置において、後側部分５４Ａ，５５Ａと支持用の突起７５が着脱可能に取り付けられている。したがって支持板７０は、突起７５を用いて、ポジションＰ１、あるいはポジションＰ２あるいはポジションＰ３のいずれかにおいて係合して高さ方向に関して位置変更して支持することができる。つまり、図５、図６及び図７に示すように、縦置き型の機器２５は、支持板７０の高さ方向Ｚに関する位置変更にともない、Ｚ方向に関する高さを任意に変えることができる。この突起２７５は後側部分５４Ａ，５５Ａの穴に対して着脱自在である。
【００２５】
図４と図６に示すように、隔壁６０は第１収容部４１の第１収容空間６１と、第２収容部４２の第２収容空間６４を隔てるための垂直の隔壁である。
この隔壁６０は、支持板５１，５２に対して垂直にかつＺ方向に平行に形成されている。この隔壁６０は、配線用の配線通過孔８０，８１を有している。配線通過孔８０は、上側の第１収容空間６１側に対応した位置にあり、もう一つの配線通過孔８１は、下側の第１収容空間６１に対応した位置にある。しかも上側の配線通過孔８０は、ほぼポジションＰ３に対応した位置にあり、下側の配線通過孔８１は、ほぼポジションＰ１，Ｐ２に対応した位置にある。
【００２６】
図８は、縦置き型の機器２５の構造例を示している。
縦置き型の機器２５の本体部２５Ａは、サポート部２５Ｂに対してはめ込むことにより一体化することができる。サポート部２５Ｂの突起２５Ｃが本体部２５Ａの穴２５Ｄにはまり込むことにより、本体部２５Ａとサポート部２５Ｂが一体化できる。
本体部２５Ａは、電源用のジャック２５Ｅと信号線供給用のジャック２５Ｆを有している。これらの電源用のジャック２５Ｅと信号線供給用のジャック２５Ｆは、サポート部２５Ｂと本体部２５Ａの間に位置している。
【００２７】
次に、上述した機器の収容ラック１０の使用例について説明する。
図２に示すように機器の収容ラック１０の第１収容部４１の二つの第１収容空間６１，６１には、使用者がそれぞれ横置き型の機器２１，２３をＸ１方向に挿入する。これにより上側の縦置き型の機器２５は上側の第１収容空間６１に収容されるとともに支持板５１に保持される。下側の横置き型の機器２３は下側の第１収容空間６１に収容されるとともに支持板５２に保持される。
【００２８】
一方、縦置き型の機器２５は、図２に示すようにＺ１方向に沿って第２収容部４２の第２収容空間６４に収容されて、例えば図５に示すように支持板７０の上に置かれる。この支持板７０の高さ方向Ｚに関する位置がポジションＰ３である場合には、縦置き型の機器２５が最も高い位置に位置されることになる。支持板７０がポジションＰ２に位置される場合には、縦置き型の機器２５は中位の高さに位置される。支持板７０がポジションＰ１の位置に位置された場合には、縦置き型の機器２５は最も低い位置に位置される。
図３と図７の状態では、縦置き型の機器２５は、最も低い位置に位置された状態を示している。図５と図６に示す縦置き型の機器２５は、最も高い位置に位置されている。
このようにして複数の横置き型の機器２１，２３は、本体３０の前側において横置き状態で収容して保持されるとともに、縦置き型の機器２５は本体３０の後側において、横置き型の機器２１，２３の後側に縦置き状態で収容して保持される。
【００２９】
そして図６と図７に示すように、横置き型の機器２１，２３と縦置き型の機器２５は、信号を送るための複数本の配線ケーブル９０により電気的に接続される。各信号を送るための配線ケーブル９０は、横置き型の機器２１，２３のそれぞれの基板２１Ｔと２３Ｔを、縦置き型の機器２５の基板２５Ｔに対して電気的に接続される。
このようにして機器の収容ラック１０内において配線ケーブル９０を用いて横置き型の機器２１，２３と縦置き型の機器２５を電気的に接続する。この場合に、例えば図６のように縦置き型の機器２５が最も高い位置に位置されている場合には、配線ケーブル９０は配線通過孔８０を通じて配線される。横置き型の機器２３の配線ケーブル９０は、支持板５１の配線通過孔８９を通っている。
【００３０】
これに対して、図７に示すように例えば縦置き型の機器２５が最も低い位置に支持されている場合には、横置き型の機器２１と縦置き型の機器２５の配線ケーブル９０は上側の配線通過孔８０を通っている。下側の横置き型の機器２３と縦置き型の機器２５の配線ケーブル９０は、下側の配線通過孔８１を通っている。このようにして、縦置き型の機器２５の高さ位置に応じて、配線ケーブル９０が通過するための配線通過孔８０あるいは８１を選択して使用することができる。横置き型の機器２１，２３と縦置き型の機器２５の配線ケーブル９０は、隔壁６０の配線通過孔８０，８１を通じて本体３０の外部に露出することなく内部で配線することができるという大きなメリットがある。
【００３１】
図９は、図６と同様に、縦置き型の機器２５が最も高い位置に保持されている。図１０は、図７の場合と同様に縦置き型の機器２５が最も低い位置に保持されている。
図９と図１０では、アンテナ２７，２９が縦置き型の機器２５の上部に設けられていて、このアンテナの発射電波の角度の例を示している。
【００３２】
図１１はアンテナ２７，２９の形状例を示している。アンテナ２７，２９は、パッチアンテナとも呼ばれており、アンテナ素子１００と基板１０１を有している。アンテナ素子１００は基板１０１に電気的に接続されている。基板１０１は縦置き型の機器２５のＲＦユニット１０２に対して電気的に接続されている。図１１（Ｂ）に示すように前面用のアンテナ２７と背面用のアンテナ２９は、それぞれ１８０度の電波の角度θを有している。
【００３３】
図９に示すように、縦置き型の機器２５が最も高い位置に位置されていると、前面用のアンテナ２７の電波の発射可能な角度はθａである。これに対して、図１０に示すように縦置き型の機器２５が最も下の位置に保持されていると、前面用のアンテナ２７の電波の発射可能な角度θｂは、図９の電波の角度θａに比べて小さくなってしまう。
これは、図９に示すラインＬ１が図１０に示すラインＬ２に比べて大きく取れるからである。このラインＬ１は、上側の横置き型の機器２１と接するラインであり、ラインＬ２も上側の横置き型の機器２１に接するラインである。つまりラインＬ１とラインＬ２の角度は、上側の横置き型の機器２１の金属シャーシの影響を受けるので図示のように設定される。
このように縦置き型の機器２５がアンテナ２７，２９を有している場合に、上側の横置き型の機器２１の金属シャーシに影響されにくいようにするためには、図９に示すように縦置き型の機器２５を図１０に示す場合に比べて高く設定することにより、その電波の角度θａは図１０に示す電波の角度θｂに比べて大きく取ることができる。
このことから、図１において、例えば縦置き型の機器２５から表示装置１２やモニター装置１４に対して信号Ｓ２，Ｓ３をワイヤレス方式で送信する場合に、図９のように縦置き型の機器２５は最も高いポジションＰ３の位置にすることが有効である。
【００３４】
機器の収容ラック１０の材質は、このようなアンテナの電波の角度を制限するのを防ぐために、木材やあるいは木質材料あるいはプラスチックのような非金属材料により作るのが望ましい。
しかし、このようなアンテナの電波の角度に対して影響を与えないような本体３０の形状を採用すれば、機器の収容ラック１０の本体は金属、例えばアルミニウムや鉄あるいはステンレス鋼等により作ることももちろん可能である。
本体３０の材質は、アンテナ特性に影響をほとんど与えない木や木質材料あるいはプラスチックにより作ることにより、アンテナを有しているかどうかを問わず各種の縦置き型の機器２５の収容を可能にするのである。
【００３５】
図１２乃至図１４は、本発明の機器の収容ラックの別の実施の形態を示している。
図１２乃至図１４の機器の収容ラックの実施の形態が、図２の機器の収容ラック１０と同じ箇所には同じ符号を記してその説明を用いる。
図１２の機器の収容ラック１０が図２の機器の収容ラック１０と異なるのは、第１収容部４１が本体３０の天板５３、側板５４，５５及び支持板５１により形成されていることである。したがって、例えば二台の横置き型の機器２１，２３は、直接積み上げた状態で、Ｘ１方向に沿って第１収容空間６１に収容する構造になっている。図２においては二枚の支持板５１，５２が設けられているが、図１２の実施の形態では、一枚の支持板５１が設けられているだけである。
このようにすれば、本体３０の構造をより簡単なものにすることができる。
【００３６】
図１３の実施の形態の機器の収容ラック１０は、図２の機器の収容ラック１０に加えて、更に横方向にも第２収容部１４２を追加して設けている点が異なる。この第２収容部１４２は、第２収容空間１６４を有しており、第２収容空間１６４では、高さ方向Ｚに沿って、支持板７０がポジションＰ１、ポジションＰ２、ポジションＰ３の三段階で位置を調整することができる。したがって第２収容部４２の第２収容空間６４に対してＺ１方向に一つの縦置き型の機器２５を収容できるばかりでなく、もう一つの縦置き型の機器１２５が、第２収容部１４２の第２収容空間１６４に対して収容して支持板７０により保持することができる。そして縦置き型の機器１２５は、高さ方向Ｚに沿ってポジションＰ１からポジションＰ３まで高さ位置変更ができる。
このように図４に示す第２収容空間６４においては、複数個の突起７５が、支持板７０をポジションＰ１乃至ポジションＰ２及びポジションＰ３において位置変更できるような位置変更部２００を構成している。
同様にして図１３においても、複数個の突起７５が、支持板７０をポジションＰ１からポジションＰ３まで位置変更できる位置変更部２０１を構成している。
【００３７】
図１４は、機器の収容ラックの更に別の実施の形態を示しており、この機器の収容ラック１０では、第２収容部４２の第２収容空間６４において、位置変更部２００の構造が突起を用いているのではなく、溝３００を用いている。この位置変更部２００はポジションＰ１乃至ポジションＰ３においてそれぞれ水平の溝３００を有している。これらの溝３００は、支持板７０をそれぞれ挿し込むことができる構造になっている。
これによって、支持板７０はポジションＰ１乃至ポジションＰ３の溝３００において任意に挿し込むことで、縦置き型の機器２５の高さを任意に調整することができる。
【００３８】
なお、上述した各実施の形態の各要素は任意に組み合わせることができる。しかも、図１３の機器の収容ラック１０の構造においては、いわゆる横側の第２収容部１４２を残して、後側の第２収容部４２を除去するような構造を採用することもできる。
【００３９】
上述した本発明の実施の形態の機器の収容ラックを用いることにより、一つもしくは複数の横置き型の機器と、一つまたは複数の縦置き型の機器を同時に相互に干渉することがなく収容することができ、設置場所を最小限にできる。
縦置き型の機器と横置き型の機器の電気的な配線は、機器の収容ラック１０の本体３０の外部に露出させることなく内部に通して配線できる。このために、機器の収容ラック１０の本体３０の外部に配線が途切れることなく外観上すっきりしたものになる。
縦置き型の機器２５，１２５は、ワイヤレス機器である場合には、内蔵しているアンテナの位置に応じて縦置き型の機器２５の高さ方向Ｚに関する位置を複数段階で変更することができる。
このために、高さを変更できない場合には縦置き型の機器２５のアンテナは外付けアンテナにする必要があるが、そのような必要はなく、縦置き型の機器２５はアンテナを内蔵させたものでよいので、コスト的にメリットがある。
また縦置き型の機器２５の高さを調整できるので、縦置き型の機器２５のアンテナの発射電波の角度が、横置き型の機器２１，２３の金属ラックの存在に影響されにくくなるので、アンテナ特性の劣化を避けることができる。
つまりアンテナの電波状況に合わせて、縦置き型の機器２５は機器の収容ラック１０から上方に向けて突出させて支持させることができるのである。
【００４０】
ここで本発明は上記実施の形態に限定されるものではない。
横置き型の機器としては各種のものがあるが、本発明の機器は、例えばオーディオアンプ、オーディオチューナー、光ディスク記録再生装置、光ディスク再生装置、電話器、ファクシミリ、コンピュータ、ハードディスクドライブ装置、プリンタ、磁気記録再生装置等あらゆる電子機器、情報機器、通信機器等を含むものである。
また縦置き型の機器は、例えばテレビジョン受像機、画像表示装置、コンピュータ、ネットワーク等に対するアクセスポイントとして用いる中継機器である。
【００４１】
【発明の効果】
以上説明したように、本発明によれば、縦置き型の機器と横置き型の機器を同時に収容することができ、しかも縦置き型の機器のアンテナ特性の劣化を防ぐ　ことができる。
【図面の簡単な説明】
【図１】本発明の機器の収容ラックを含むシステムの一例を示す図。
【図２】機器の収容ラックに対して縦置き型の機器と横置き型の機器を収容する前の状態を示す図。
【図３】縦置き型の機器と横置き型の機器を機器の収容ラックに収容した状態を示す図。
【図４】機器の収容ラックの後側から見た斜視図。
【図５】機器の収容ラックの後側から見た図であり、縦置き型の機器が第２収容部の第２収容空間において支持されている状態を示す図。
【図６】機器の収容ラックの断面を示しており、縦置き型の機器が最も高い位置に保持されている状態を示す図。
【図７】機器の収容ラックの断面を示しており、縦置き型の機器が最も低い位置に保持されている状態を示す図。
【図８】縦置き型の機器の構造の一例を示す分解斜視図。
【図９】縦置き型の機器が最も高い位置に位置された場合におけるアンテナの発射電波の角度の例を示す図。
【図１０】縦置き型の機器が最も低い位置に保持された状態におけるアンテナの発射電波の角度の例を示す図。
【図１１】縦置き型の機器のアンテナの例を示す図。
【図１２】本発明の機器の収容ラックの別の実施の形態を示す斜視図。
【図１３】本発明の機器の収容ラックの更に別の実施の形態を示す斜視図。
【図１４】本発明の機器の収容ラックの更に別の実施の形態を示す断面図。
【符号の説明】
１０・・・機器の収容ラック、２１，２３・・・横置き型の機器、２５，１２５・・・縦置き型の機器、２７，２９・・・アンテナ、３０・・・収容ラックの本体、４１・・・第１収容部、４２，１４２・・・第２収容部、５１，５２，７０・・・支持板、６１・・・第１収容空間、６４，１６４・・・第２収容空間、２００・・・位置変更部、Ｚ・・・高さ方向
【図１】
2004119685.tif 000003
【図２】
2004119685.tif 000004
【図３】
2004119685.tif 000005
【図４】
2004119685.tif 000006
【図５】
2004119685.tif 000007
【図６】
2004119685.tif 000008
【図７】
2004119685.tif 000009
【図８】
2004119685.tif 000010
【図９】
2004119685.tif 000011
【図１０】
2004119685.tif 000012
【図１１】
2004119685.tif 000013
【図１２】
2004119685.tif 000014
【図１３】
2004119685.tif 000015
【図１４】
2004119685.tif 000016